(57)【特許請求の範囲】
【請求項１】
ウェアラブルコンピュータデバイスの装着者の視野における実際の照明状態を決定するための光学センサを含む前記ウェアラブルコンピュータデバイスを使用して照明状態を改善するための方法であって、
前記光学センサを使用して前記実際の照明状態を決定するステップと、
ユーザ活動を実行するのに適切な照明状態に関連付けられた実際のユーザ活動を追加のセンサ装置を使用して決定するステップと、
前記ウェアラブルコンピュータデバイスにおいて前記実際の照明状態を前記適切な照明状態と比較するステップと、
前記実際の照明状態が前記適切な照明状態から乖離する場合に前記ウェアラブルデバイスを使用して信号を生成するステップと
を含む、方法。
【請求項２】
前記信号を生成するステップは、前記ウェアラブルコンピュータデバイスを使用して前記ウェアラブルコンピュータデバイスのユーザに対して警告信号を生成するステップを含む、請求項１に記載の方法。
【請求項３】
前記光学センサは、前記ウェアラブルコンピュータデバイスに通信可能に結合された少なくとも１つの追加の光学センサをさらに含む光学センサ装置の一部を構成する、請求項１又は２に記載の方法。
【請求項４】
前記追加のセンサ装置は、前記ウェアラブルコンピュータデバイスと一体的な少なくとも１つの第１の追加センサと、前記ウェアラブルコンピュータデバイスと通信可能に結合された少なくとも１つの第２の追加センサとを含む、請求項１乃至３の何れか一項に記載の方法。
【請求項５】
前記光学センサを使用して追加の照明状態を決定するステップと、
追加のユーザ活動を前記追加の照明状態に関連付けるステップと、
前記追加の照明状態を前記追加のユーザ活動に前記適切な照明状態として記憶するステップと
をさらに含む、請求項１乃至４の何れか一項に記載の方法。
【請求項６】
前記ユーザ活動を前記追加のセンサ装置を使用して決定するステップは、前記ユーザ活動を示すユーザ入力を検出するステップを含む、請求項１乃至５の何れか一項に記載の方法。
【請求項７】
前記信号を生成するステップは、前記適切な照明状態を作り出すために少なくとも１つの光源の設定を調整するための制御信号を生成するステップを含む、請求項１乃至６の何れか一項に記載の方法。
【請求項８】
前記少なくとも１つの光源を識別するステップを更に含む、請求項７に記載の方法。
【請求項９】
前記ユーザ活動中に、
前記光学センサ装置を使用して追加の実際の照明状態を決定するステップと、
前記追加の実際の照明状態を前記適切な照明状態と比較するステップと、
前記追加の実際の照明状態が前記適切な照明状態から乖離している場合に前記適切な照明状態を作り出すために少なくとも１つの光源の設定を調整するための追加の制御信号を生成するステップと
を繰り返すことをさらに含む、請求項７又は８に記載の方法。
【請求項１０】
前記制御信号を前記少なくとも１つの光源に伝達するステップと、前記制御信号に従って前記少なくとも１つの光源を調整するステップとをさらに含む、請求項７乃至９の何れか一項に記載の方法。
【請求項１１】
前記適切な照明状態はグレア閾値を含み、前記制御信号に従って前記少なくとも１つの光源を調整するステップは、前記少なくとも１つの光源を調整して、前記少なくとも１つの光源により生成されるグレアを前記グレア閾値未満に抑えることを含む、請求項１０に記載の方法。
【請求項１２】
ウェアラブルコンピュータデバイスのプロセッサ上で実行されるとき、請求項１乃至９の何れか一項に記載の方法の前記ステップを実行するためのコンピュータプログラムコードを含むコンピュータプログラム。
【請求項１３】
請求項１２に記載のコンピュータプログラムを含むデータ記憶装置と、
ウェアラブルコンピュータデバイスの装着者の視野における実際の照明状態を決定するための光学センサと、
前記コンピュータプログラムのコンピュータプログラムコードを実行するプロセッサと
を備え、
前記光学センサは光センサ及び画像取得センサのうちの少なくとも１つである、
ウェアラブルコンピュータデバイス。
【請求項１４】
ユーザ活動を決定するための追加センサをさらに備え、ユーザ活動を決定するための前記追加センサは画像取得センサ及び動きセンサのうちの少なくとも１つである、請求項１３に記載のウェアラブルコンピュータデバイス。
【請求項１５】
少なくとも１つの光源を含む照明装置及び請求項１３又は１４に記載のウェアラブルコンピュータデバイスを備える照明装置キットであって、前記照明装置は前記ウェアラブルコンピュータデバイスと通信し、前記少なくとも１つの光源を制御するための、前記ウェアラブルコンピュータデバイスにより生成される制御信号に応答する、照明装置キット。
【発明の詳細な説明】
【技術分野】
【０００１】
本発明はユーザ活動の照明状態を改善するための方法に関する。
【０００２】
本発明はさらに、斯かる方法を実行するためのコンピュータプログラム製品に関する。
【０００３】
本発明はさらに、斯かる制御方法を実行するように適合されたウェアラブルコンピュータデバイスに関する。
【０００４】
本発明はさらに、斯かる方法により制御されるように適合された照明装置キットに関する。
【背景技術】
【０００５】
ソリッドステート照明等の新しい照明技術の導入によって、例えば機能的照明装置から、部屋、劇場、オフィス等の空間に特有の雰囲気を作り出すために複数の光源により作られる複雑な照明雰囲気等の審美的な照明効果を作り出すように設計された装飾照明装置への転換により照明ソリューションの提供が革命的に変化している。なぜなら、照明装置の光源は一般的に様々な色、色温度強度、及び／又は定常点灯、パルス点灯及びフラッシュ点灯等の周期性を有する光を作るように設定可能、例えばプログラム可能であるためである。従って、斯かる照明装置によって、ユーザはユーザ定義の雰囲気を作り出すこと、又は照明装置の個々の光源又は光源の組み合わせを設定することにより所望の照明雰囲気を作り出すことができる。
【０００６】
斯かる照明装置によって、ユーザはユーザにより行われる特定のユーザ活動、例えば読書、コンピュータを使用すること、テレビを見ること、食事等に最適又は適切であると考えられる照明状態をうまく制御する。しかし、ユーザはユーザ活動と照明状態が適切にマッチすることを確実にすることに常に専心しているわけではなく、照明状態が目の前の仕事に適していない、例えば非最適であるという事実に気づいてもいない。従って、ユーザを支援して特定のユーザ活動が適切な照明状態で行われることを確実にする必要がある。
【発明の概要】
【発明が解決しようとする課題】
【０００７】
本発明は、照明最適化タスクにおいてユーザを支援する、斯かる照明状態を改善するための方法を提供することを目的とする。
【０００８】
本発明はさらに、斯かる方法を実行するためのコンピュータプログラム製品を提供することを目的とする。
【０００９】
本発明はさらに、斯かるコンピュータプログラム製品を実行するように適合されたウェアラブルコンピュータデバイスを提供することを目的とする。
【００１０】
本発明はさらに、斯かるウェアラブルコンピュータデバイスを含む照明装置キットを提供することを目的とする。
【課題を解決するための手段】
【００１１】
一態様によれば、ウェアラブルコンピュータデバイスの装着者の視野における実際の照明状態を決定するための光学センサを含むウェアラブルコンピュータデバイスを使用して照明状態を改善するための方法が提供され、方法は、光学センサを使用して実際の照明状態を決定するステップと、ユーザ活動を実行するのに適切な照明状態に関連付けられた実際のユーザ活動を追加のセンサ装置を使用して決定するステップと、ウェアラブルコンピュータデバイスにおいて実際の照明状態を適切な照明状態と比較するステップと、実際の照明状態が適切な照明状態から乖離する場合にウェアラブルデバイスを使用して信号を生成するステップとを含む。
【００１２】
本発明は、頭部に装着可能なコンピュータデバイス等のウェアラブルコンピュータデバイスを使用して、ユーザにより取り組まれている活動が最適な又はさもなければ適切な照明状態で行われているかどうかを、デバイスの装着者、即ちユーザが体験する実際の照明状態を、例えばユーザ（装着者）の視野における照明状態を決定するように構成された光センサ等の光学センサ又はカメラ等の画像取得センサを使用して決定し、かつユーザが取り組んでいる活動を、画像取得センサ等の活動に関連付けられた物体を検出するためのセンサ、又は画像取得センサ、動きセンサ、及び１つ以上のキー等の入力センサ等のユーザ活動を指定するユーザコマンドを検出するためのセンサを使用して決定することにより決定できるという洞察に基づいている。ウェアラブルコンピュータデバイスのプロセッサは実際の照明状態を適切な照明状態と比較し、装着者の視野における実際の照明状態が準最適である等、調整の必要があるかどうかを決定し、調整の必要がある場合は、ウェアラブルコンピュータデバイスは実際の照明状態を調整、即ち改善する必要があることを示す信号を生成する。従って、斯かるウェアラブルデバイスを使用してユーザの視野における実際の照明状態を決定できることによって、ユーザが斯かるユーザ活動に取り組んでいるときの照明状態の制御よりも高い精度の改善が促進される。
【００１３】
例えば、信号を生成するステップは、ウェアラブルコンピュータデバイスを使用してそのユーザに対して警告信号を生成することを含む。斯かる警告信号は、例えば装着者に照明状態を調整する処置をとらせるための、例えばスピーカー等のウェアラブルコンピュータデバイスの音声出力ユニットに生成される可聴信号、透明ディスプレイである頭部装着式ディスプレイ等のウェアラブルコンピュータデバイスのディスプレイに表示される信号、又は点滅光もしくは振動等の感覚信号である。
【００１４】
代替的には、信号を生成するステップは、実際の照明状態を作り出すことに関与する少なくとも１つの光源についての実際の照明状態を調整するための制御信号を生成することを含み、その結果、照明状態は、例えば制御信号を前記少なくとも１つの光源に伝達し、制御信号に従って少なくとも１つの光源を調整することにより自動的に調整される。
【００１５】
一実施形態では、適切な照明状態はグレア閾値を含み、制御信号に従って少なくとも１つの光源を調整するステップは、少なくとも１つの光源を調整して、前記少なくとも１つの光源により生成されるグレアを前記グレア閾値未満に抑えることを含む。例えばこれは、ウェアラブルコンピュータデバイスの装着者が、例えばテレビ、コンピュータ、タブレットデバイス、電子書籍リーダー、及び移動通信デバイス等の画面を見ている場合に特に有利である。なぜなら、画面とのユーザインタラクションをユーザが満足する形で行えることが保証されるためである。
【００１６】
光学センサは、ウェアラブルコンピュータデバイスに通信可能に結合された少なくとも１つの追加の光学センサをさらに含む光学センサ装置の一部を構成する。従って、一部の実施形態では、実際の照明状態の決定は、例えば様々な角度で実際の照明状態を検出することにより、より複雑な実際の照明状態の正確な検出を促進する、例えば照明装置の補助センサを含む複数の分散されたセンサの使用により高められる。
【００１７】
追加のセンサ装置は、ウェアラブルコンピュータデバイスと一体的な少なくとも１つの第１の追加センサと、ウェアラブルコンピュータデバイスと通信可能に結合された少なくとも１つの第２の追加センサとを含む。従って、一部の実施形態では、ユーザ活動の決定は、例えば様々な角度でユーザ活動を検出することにより、ユーザ活動の正確な検出を促進する、例えば照明装置の補助的な追加センサを含む複数の分散された追加センサにより達成される。
【００１８】
一実施形態では、方法はさらに、光学センサ装置を使用して追加の照明状態を決定するステップと、追加のユーザ活動を追加の照明状態に関連付けるステップと、追加の照明状態を前記追加のユーザ活動に適切な照明状態として記憶するステップとを含む。このように、ウェアラブルコンピュータデバイスは、例えばウェアラブルコンピュータデバイスの装着者が特定の活動に好ましい照明状態を設定し、好ましい照明状態をその活動に適切な照明状態として記憶するようにウェアラブルコンピュータデバイスをプログラムすることにより、好ましい照明状態を認識するようにプログラムされる。
【００１９】
一実施形態では、実際のユーザ活動を追加のセンサ装置を使用して決定するステップは、ジェスチャ、移動等の前記実際のユーザ活動を示すユーザ入力又は他のユーザ入力を検出することを含む。これによって実際のユーザ活動を検出するプロセスが単純化される。
【００２０】
方法はさらに、ウェアラブルコンピュータデバイスを使用して少なくとも１つの光源を識別することを含み、その結果、ウェアラブルコンピュータデバイスは、この光源が適切な照明状態の生成に関与している場合に光源の設定を調整するための制御信号を識別された光源に送信することができる。
【００２１】
方法はさらに、前記ユーザ活動中に、光学センサ装置を使用して追加の実際の照明状態を決定するステップと、追加の実際の照明状態を適切な照明状態と比較するステップと、追加の実際の照明状態が適切な照明状態から乖離している場合に適切な照明状態を作り出すために少なくとも１つの光源の設定を調整するための追加の制御信号を生成するステップとを繰り返すことを含む。このように、実際のユーザ活動の実行中の照明状態の変化を検出及び補償することができ、その結果、ユーザは移動中であっても適切な、例えば最適な照明状態で活動全体を行うことが保証される。
【００２２】
別の態様によれば、ウェアラブルコンピュータデバイスのプロセッサ上で実行されるとき、前述の１つ以上の実施形態の方法のステップを実行するためのコンピュータプログラムコードを含むコンピュータプログラム製品が提供される。斯かるコンピュータプログラム製品は、任意の適当な形態で、例えばアプリストアで入手可能なソフトウェアアプリケーション（アプリ）としてウェアラブルコンピュータデバイスが利用でき、ウェアラブルコンピュータデバイスが前述の方法を実行できるようにウェアラブルコンピュータデバイスを設定するために使用される。
【００２３】
さらに別の態様によれば、前述のコンピュータプログラム製品を含むデータ記憶装置、ウェアラブルコンピュータデバイスの装着者の視野における実際の照明状態を決定するための光学センサ、及び前記コンピュータプログラム製品のコンピュータプログラムコードを実行するように適合されたプロセッサを備えるウェアラブルコンピュータデバイスが提供される。
【００２４】
ウェアラブルコンピュータデバイスはさらに、実際のユーザ活動を決定するための追加センサを備える。従って、斯かるウェアラブルコンピュータデバイスは前述の１つ以上の実施形態による照明状態の最適化を促進することができる。
【００２５】
一実施形態では、光学センサは光センサ及び画像取得センサのうちの少なくとも１つである；及び／又は追加センサは画像取得センサ及び動きセンサのうちの少なくとも１つである。
【００２６】
別の態様によれば、少なくとも１つの光源及び前述のウェアラブルコンピュータデバイスを含む照明装置を備える照明装置キットが提供され、照明装置はウェアラブルコンピュータデバイスと通信するように適合され、少なくとも１つの光源を制御するための、ウェアラブルコンピュータデバイスにより生成される制御信号に応答する。斯かる照明装置キットはユーザ活動の関数である照明状態の自動制御を促進する。
【図面の簡単な説明】
【００２７】
本発明の実施形態は、添付の図面を参照してより詳細にかつ非限定的な例として説明される。
【００２８】
【図１】一実施形態による照明装置及びウェアラブルコンピュータデバイスを概略的に示す。
【図２】一実施形態による照明状態を改善するための方法のフローチャートである。
【図３】別の実施形態による照明状態を改善するための方法のフローチャートである。
【図４】さらに別の実施形態による照明状態を改善するための方法のフローチャートである。
【図５】照明状態を改善するための方法で用いられる適切な照明状態を定義する方法のフローチャートである。
【発明を実施するための形態】
【００２９】
図面は単に概略的なものであり、正確な縮尺率で描かれていないことを理解すべきである。同一又は類似の部分を示すために全図面を通じて同一の参照番号が使用されることも理解すべきである。
【００３０】
本出願のコンテキストでは、ウェアラブルコンピュータデバイスは、ユーザに演算機能を提供し、インターネット又は別のコンピュータ読取可能な媒体から取得されたソフトウェアアプリケーション（アプリ）で指定された特定の演算タスクを実行するように構成され得るデバイスである。ウェアラブルコンピュータデバイスは、ユーザによりユーザの体の一部に装着され、本発明の１つ以上の態様に従って演算タスクを実行可能に設計された任意のデバイスである。斯かるウェアラブルデバイスの限定されない例には、例えば眼鏡、ゴーグル、ヘルメット、帽子、バイザー、ヘッドバンド、又は装着者の頭にもしくは装着者の頭から支持され得る任意の他のデバイス、スマートウォッチ等が含まれる。
【００３１】
本出願のコンテキストでは、ウェアラブルコンピュータデバイスは、ウェアラブルコンピュータデバイスの装着者の視野における実際の照明状態を決定するための光学センサを含む。光学センサは、目的通りに装着された場合に、光学センサが装着者の目と一致する、即ち装着者の視野から取得された前向きのセンサ信号を生成するように構成される。
【００３２】
斯かる光学センサは、頭部に装着可能なコンピュータデバイス等のウェアラブルコンピュータデバイスと一体的であり、例えば装着者がその視野を観察するのに使用する頭部に装着可能なコンピュータデバイスのレンズ、斯かるレンズのレンズホルダもしくはフレーム、又は光学センサが頭部に装着可能なコンピュータデバイスの装着者の視野と一致する頭部に装着可能なコンピュータデバイスの任意の他の適当な構造に組み込まれる。
【００３３】
代替的には、斯かる光学センサは、モジュール式ウェアラブルコンピュータデバイス、例えばウェアラブルコンピュータデバイスの１つ以上のモジュールに有線又は無線接続を介して通信可能に結合された頭部装着式光学センサモジュールの一部であり、他のモジュールの少なくとも一部は、頭部以外の体の部分に装着される、又は他のモジュールの一部は装着可能ではないが、例えばその代わりに携帯可能である。
【００３４】
本出願のコンテキストでは、光源は、設定可能な光出力を生成可能なデバイスであり、光出力は色、色ポイント、色温度、光強度のうちの少なくとも１つに関して、設定可能な照明状態等を生成するように構成される。一部の実施形態では、光源は前述の設定可能な照明状態を作り出すように構成されたソリッドステート照明要素、例えば発光ダイオードを含む。光源は専用の照明デバイスである、又は照明効果をもたらすこと以外の主要機能を有する電子デバイスの一部を構成する。例えば、光源はディスプレイデバイス、家庭電化製品、音楽機器等の一部を構成する。
【００３５】
図１は、照明装置２００及びウェアラブルコンピュータデバイス１００を含む照明装置の構成を概略的に示す。一実施形態では、ウェアラブルコンピュータデバイス１００は、照明装置２００と、例えば複数の光源２０１〜２０６が有線及び／又は無線で通信可能に結合された照明装置２００の無線ブリッジ２１０を介して無線通信するように適合される。代替的には、ウェアラブルコンピュータデバイス１００は１つ以上の光源２０１〜２０６と直接通信するように適合される。ウェアラブルコンピュータデバイス１００及び照明装置２００間の無線通信、及び／又は照明装置２００の各種の構成要素間の無線通信のいずれにも、赤外線リンク、Ｚｉｇｂｅｅ（登録商標）、Ｂｌｕｅｔｏｏｔｈ（登録商標）、ＩＥＥＥ８０２．１１規格に準拠する無線ローカルエリアネットワークプロトコル、２Ｇ、３Ｇもしくは４Ｇ電気通信プロトコル等の任意の適当な無線通信プロトコルが使用される。
【００３６】
しかし、さらに別の実施形態では、ウェアラブルコンピュータデバイス１００は、照明装置２００のある特性、例えば照明装置２００の１つ以上の光源２０１〜２０６により生成される照明状態、照明状態を生成する照明装置２００の１つ以上の光源２０１〜２０６の同一性等を簡単に検出するように適合される。これは以下でより詳細に説明される。
【００３７】
図１には具体的に示されていないが、照明装置２００の光源２０１〜２０６は任意の適当な手法で制御される。例えば、各光源２０１〜２０６は制御命令を例えば無線ブリッジ２１０を介して受信する専用のコントローラを有する。代替的に又は追加的に、照明装置２００は光源２０１〜２０６を制御するための１つ以上の中央コントローラを備える。照明装置２００及び光源２０１〜２０６を制御する任意の適当な制御機構が考えられることを理解すべきである。図１の照明装置２００はあくまでも限定されない例として６個の光源を備えるように示されているが、照明装置２００は任意の適当な数の光源を備えることをさらに理解すべきである。
【００３８】
一実施形態では、ウェアラブルコンピュータデバイス１００は、例えば無線ブリッジ２１０を用いて照明装置２００と、又は１つ以上の光源２０１〜２０６と直接無線通信するための無線通信インターフェース１０２を含む。ウェアラブルコンピュータデバイス１００は、任意選択的に、ウェアラブルコンピュータデバイス１００がインターネット等のリモートデータソースへのアクセスに使用する追加のネットワーク、例えば無線ＬＡＮと無線通信するための追加の無線通信インターフェース１０４を備える。代替的には、ウェアラブルコンピュータデバイス１００は、照明装置２００及び追加のネットワークと通信可能な１つの無線通信インターフェースを含む。
【００３９】
ウェアラブルコンピュータデバイス１００の機能は、データ記憶装置１１２等の非一時的コンピュータ読取可能な媒体に記憶された命令、即ちコンピュータプログラムコードを実行するプロセッサ１１０により制御される。従って、プロセッサ１１０はデータ記憶装置１１２に記憶されたプロセッサ読取可能な命令と組み合わされてウェアラブルコンピュータデバイス１００のコントローラとして機能する。プロセッサ１１０はさらに、無線通信インターフェース１０２を制御する、また存在する場合には無線通信インターフェース１０４を制御するように適合される。
【００４０】
プロセッサ１１０により実行される命令に加えて、データ記憶装置１１２は照明装置２００の光源２０１〜２０６の識別を促進するデータを記憶する。例えば、データ記憶装置１１２は光源２０１〜２０６に関連する識別情報のデータベースとして機能する。斯かる情報は、前述の視野内にあることが検出された光源２０１〜２０６を識別するためにウェアラブルコンピュータデバイス１００により使用される。
【００４１】
ウェアラブルコンピュータデバイス１００は、特定の場所、即ち一般的にはウェアラブルコンピュータデバイス１００の装着者の視野と一致する、光学センサ１１４により観察される場所において照明装置２００により生成される照明状態を検出するための光学センサ１１４を含む。斯かる照明状態は、一般的には特定のタスクが当該場所で行われるための当該場所における照明の品質に関係する。照明状態は、例えば照明レベル及び照明色又は照明色スペクトルのうちの少なくとも１つである。光学センサ１１４は、例えば光センサ、又は前述の場所の１つ以上の画像を取得する画像取得センサである。
【００４２】
一実施形態では、ウェアラブルコンピュータデバイス１００はさらに、照明装置２００の一部を構成する、又は照明装置２００から離れた１つ以上の外部光学センサ２２０に通信可能に結合される。ウェアラブルコンピュータデバイス１００は、例えば無線通信インターフェース１０２又は追加の無線通信インターフェース１０４により無線で１つ以上の外部光学センサ２２０に通信可能に結合される。
【００４３】
この実施形態では、ウェアラブルコンピュータデバイス１００は、光学センサ１１４からのセンサデータに加えて、例えば、関心のある場所、即ちウェアラブルコンピュータデバイス１００の装着者の視野における照明状態をより正確に決定するために、ウェアラブルコンピュータデバイス１００で処理される追加のセンサデータを１つ以上の外部光学センサ２２０から受信する。外部光学センサ２２０は、先に説明された光センサ及び／又は画像取得センサ等の任意の適当な種類の光学センサである。
【００４４】
一実施形態では、ウェアラブルコンピュータデバイス１００は、関心のある場所、例えばセンサ１１６の視野における実際のユーザ活動を検出するための少なくとも１つのセンサ１１６を備える。例えば、センサ１１６は、関心のある場所の１つ以上の画像を取得するための画像取得センサであり、ウェアラブルコンピュータデバイス１００のプロセッサ１１０は、例えば画像内の物体を認識することにより、取得された画像の評価から実際のユーザ活動を識別するように適合される。例えば、ディスプレイデバイスが認識されれば、これに基づいて実際のユーザ活動はテレビの視聴又はウェブ閲覧であると決定され、本又は電子書籍リーダーが認識されれば、これに基づいて実際のユーザ活動は読書であると決定される。
【００４５】
代替的に又は追加的に、プロセッサ１１０は、例えば加速度計又はジャイロスコープ等の動き検出センサにより、又は画像取得センサを使用した画像検出により、装着者が取り組んでいる実際のユーザ活動を示す装着者によるジェスチャ又は動きを認識するように構成される。ジェスチャ認識はそれ自体知られており、従って、これ以上詳細に説明されないが簡略にするためにすぎない。
【００４６】
センサ１１６は、代替的にはウェアラブルコンピュータデバイス１００の装着者が実際のユーザ活動を選択肢のリストから選択するように促す、例えばボタン等の入力センサである。斯かる選択肢のリストは、例えば装着者が照明装置２００の１つ以上の光源２０１〜２０６が存在する特定の視野の周囲を観察できるように透明な頭部装着式ディスプレイ等のウェアラブルコンピュータデバイス１００のディスプレイ１０６に表示される。
【００４７】
センサ１１６がカメラ等の画像取得センサを備える場合は、センサ１１６はウェアラブルコンピュータデバイス１００の周囲の画像を特定の視点から取得するように構成される。画像はビデオ画像でも静止画像でもよい。一実施形態では、画像取得デバイス１１６の視点はシースルーディスプレイ１０６が向いている方向に対応する。この実施形態では、画像取得デバイス１１６の視点はシースルーディスプレイ１０６が装着者に与える視点とほぼ一致し、その結果、画像取得デバイス１１６により取得される主観画像がシースルーディスプレイ１０６を通して装着者に見えるものを決定するために使用される。
【００４８】
一実施形態では、センサ１１６は、例えばウェアラブルコンピュータデバイス１００の装着者による口頭の命令を検出するための、マイクロフォン等の音センサである。この実施形態では、プロセッサ１１０はセンサ１１６からの検出出力を受信し、受信された検出出力に口頭による命令を検出し、例えば「読書」、「テレビ視聴」、「ウェブサーフィン」等の口頭によるユーザ活動を識別する等、検出された口頭による命令に従ってウェアラブルコンピュータデバイス１００を操作するように適合される。口頭による命令は、代替的にはカーソル等のユーザインターフェースをディスプレイ１０６上で制御し、ディスプレイ１０６に表示された活動のリストから実際のユーザ活動を選択することである。他の代替案は当業者にはすぐに明らかであろう。
【００４９】
代替的な実施形態では、ウェアラブルコンピュータデバイス１００は、照明装置２００の一部を構成する、又は照明装置２００から離れた１つ以上の追加の外部センサ２３０に通信可能に結合される。ウェアラブルコンピュータデバイス１００は、例えば無線通信インターフェース１０２又は追加の無線通信インターフェース１０４により無線で１つ以上の追加の外部センサ２３０に通信可能に結合される。
【００５０】
この実施形態では、ウェアラブルコンピュータデバイス１００は、例えば、関心のある場所において装着者が取り組んでいる実際の活動を決定するために、ウェアラブルコンピュータデバイス１００で処理されるセンサデータを１つ以上の追加のセンサ２３０から受信する。追加のセンサ２３０は、例えば画像取得センサ等の任意の適当な種類のセンサである。
【００５１】
一実施形態では、ウェアラブルコンピュータデバイス１００は前述のセンサ１１６を備え、さらに前述の１つ以上の追加の外部センサ２３０に通信可能に結合され、その結果、ウェアラブルコンピュータデバイス１００は、センサ１１６及び１つ以上の追加の外部センサ２３０のセンサデータの組み合わせから関心のある場所における実際のユーザ活動を決定する。
【００５２】
ウェアラブルコンピュータデバイス１００はさらに、ユーザからの入力を受信するためのユーザインターフェース１０８を含む。ユーザインターフェース１０８は、例えばタッチパッド、キーパッド、ボタン、マイクロフォン、及び／又は他の入力デバイスを含む。プロセッサ１１０はユーザインターフェース１０８を介して受信された入力に基づいてウェアラブルコンピュータデバイス１００の少なくとも一部の機能を制御する。例えば、プロセッサ１１０は、シースルーディスプレイ１０６が画像を表示する手法、又はシースルーディスプレイ１０６が表示する画像を制御するために入力を使用する。
【００５３】
図１は、ウェアラブルコンピュータデバイス１００の様々な構成要素、即ち無線通信インターフェース１０２及び１０４、プロセッサ１１０、データ記憶装置１１２、１つ以上の光学センサ１１４、ユーザ活動を決定するための１つ以上のセンサ１１６、並びにユーザインターフェース１０８をディスプレイ１０６から離れたものとして示しているが、これらの構成要素の１つ以上はディスプレイ１０６に搭載されても一体化されてもよい。例えば画像取得センサはシースルーディスプレイ１０６に搭載され、ユーザインターフェース１０８はシースルーディスプレイ１０６上のタッチパッドとして提供され、プロセッサ１１０及びデータ記憶装置１１２はシースルーディスプレイ１０６のコンピュータシステムを構成し、ウェアラブルコンピュータデバイス１００の他の構成要素も同様にシースルーディスプレイ１０６に一体化されてもよい。
【００５４】
代替的には、ウェアラブルコンピュータデバイスは装着者に装着又は装着者により携帯され得る別個のデバイスの形で提供される。ウェアラブルコンピュータデバイスを構成する別個のデバイスは有線又は無線のいずれかで通信可能に結合され得る。
【００５５】
さらに、同じ機能を有する異なるセンサ、例えば光学センサ１１４及び画像取得センサである追加のセンサ１１６を参照する場合、ウェアラブルコンピュータデバイス１００は照明状態及びユーザ活動の両方を決定するために使用される単一の画像取得センサを備えることを理解すべきである。
【００５６】
一実施形態では、ウェアラブルコンピュータデバイス１００は、決定された照明状態が検出されたユーザ活動に非最適である又は適切でないことを示すアラートをユーザに与えるように適合される。このことは、斯かるアラートを生成する方法のフローチャートを示す図２を用いてより詳細に説明される。方法は、例えば光源２０１〜２０６の少なくとも一部及び／又はウェアラブルコンピュータデバイス１００のスイッチをオンにすることにより、ステップ３０１から始まり、その後方法は先に説明されたように実際の照明状態がウェアラブルコンピュータデバイス１００を使用して決定されるステップ３０２へ進む。
【００５７】
一実施形態では、実際の照明状態の決定は、コンピュータ、テレビ、タブレット、又は電子書籍リーダー等のデバイスの表示画面、及び本のページ等のユーザ活動に関わる物体についての照明状態、例えばディスプレイ上のグレアレベル又は読まれる本のページ上のコントラストの決定を含む。一部の実施形態では、物体は別の人間、又はユーザ活動に関与する手等の人体の一部である。ユーザ活動は例えばこの例では社会活動である。このため、プロセッサ１１０は光学センサ１１４により取得された画像（又は一連の画像）内の物体を認識し、例えば実際の照明状態の決定のためにこの物体に焦点を合わせる等、取得された画像の物体に対応する領域における照明状態を決定するように適合される。
【００５８】
グレアは任意の適当な手法で検出される。例えば、ウェアラブルコンピュータデバイス１００の光学センサ１１４は視野画像を取得し、プロセッサ１１０は装着者がグレアに暴露されていることを示す画像内の明るい領域を検出するために画像を評価するように構成される。なぜなら、明度はコンピュータ、ディスプレイ、又はタブレット等の電子デバイスの表示画面、及び本、新聞又は雑誌等の印刷物等のユーザの視野内の物体が光反射することによりもたらされるからである。代替的には、ウェアラブルコンピュータデバイス１００は装着者が自分の視野内で露光過多であることを示す瞳孔の縮瞳（収縮）を検出するための内向きの光学センサを含む。グレア状態を検出するための他の適当なアプローチが当業者にはすぐに明らかであろう。
【００５９】
ステップ３０３では、ウェアラブルコンピュータデバイス１００はその装着者が取り組んでいるユーザ活動を決定する。これは、例えば本が読書にリンクされ、薄型テレビがテレビ視聴にリンクされる等、特定の物体が特定のユーザ活動にリンクされる前述の物体認識による任意の適当な手法で、これらのリンクを含むデータ構造にクエリを行うように適合されたプロセッサ１１０を使用して行われる。一実施形態では、データ構造はデータ記憶装置１１２に記憶される。代替的には、ウェアラブルコンピュータデバイスは、ユーザ活動を指定するユーザインターフェース１０８を使用して、例えばディスプレイ１０６に表示された斯かる活動のリストからユーザ活動を選択すること等により、例えばジェスチャ、移動、口頭による命令又は物理的相互作用等のユーザ入力に基づいてユーザ活動を決定する。
【００６０】
ステップ３０３はステップ３０２に続けて示されているが、これらのステップは任意の順序で、例えば並行して又はステップ３０３がステップ３０２と前後するように連続的に実行されることを理解すべきであることに留意されたい。
【００６１】
ステップ３０４では、ウェアラブルコンピュータデバイス１００のプロセッサ１１０は実際の照明状態を決定されたユーザ活動に適切な照明状態と比較する。斯かる適切な照明状態は、例えばユーザ活動をその活動に適切な照明状態にリンクさせるデータ構造に記憶される。一実施形態では、斯かるデータ構造はデータ記憶装置１１２に記憶される。適切な照明状態は、ユーザ活動に最適な照明状態である、又は検出されたユーザ活動に適切と考えられる照明状態の範囲として定義される。適切な照明状態は、後により詳細に説明されるように、任意の適当な手法で、例えばデフォルト照明状態又はユーザ定義照明状態として定義される。
【００６２】
ステップ３０５では、プロセッサ１１０は決定された実際の照明状態を適切な照明状態と比較して実際の照明状態が識別されたユーザ活動に適切であるかどうかを決定する。例えば、実際の照明レベル、グレアレベル、コントラストレベル又は照明スペクトル成分等の実際の照明状態が検出された活動に適切であると考えられる範囲内にある場合は、追加の処置が行われる必要はなく、方法はステップ３０７で終了する。
【００６３】
一方、比較によって実際の照明レベルが検出されたユーザ活動に不適切と考えられることが判明する。例えば、グレアレベルが既定の閾値、例えばユーザ定義閾値、過去のユーザデータから得られた閾値、及び工場定義の閾値等を超えると判定される。斯かる閾値は、例えば視野におけるグレアの許容レベルに相当し、許容レベルはグレアを生成する物体における明度の絶対レベル、視野の明度全体に対するグレアを生成する物体における明度のレベル、及び瞳孔縮瞳の量又は速度として表される。その他多くの斯かる閾値の適切な定義が当業者にはすぐに明らかであろう。
【００６４】
比較によって実際の照明レベルが検出されたユーザ活動に不適切と考えられることが判明した場合は、方法は、ウェアラブルコンピュータデバイス１００の装着者に不適切であることを示す警告信号即ちアラートが提示されるステップ３０６に進み、その結果、装着者は例えばユーザ活動が行われる場所における照明状態を手動で調整する。アラートは任意の適当な手法で、例えばウェアラブルコンピュータデバイス１００のスピーカーを使用した可聴警告信号、例えばウェアラブルコンピュータデバイス１００のディスプレイ１０６又はＬＥＤ等の光源を使用した可視警告信号、及び振動等の感覚警告信号として与えられる。方法はアラート即ち警告信号が生成されるとステップ３０７で終了する。
【００６５】
上記の実施形態では、ウェアラブルコンピュータデバイス１００は装着者が取り組んでいる活動についての照明状態が非最適、即ち不適切であることを装着者に警告するように適合される。従って、これによってウェアラブルコンピュータデバイス１００の装着者は照明状態を作り出すことに関与している光源を調整し、その結果、照明状態を調整することができる。このプロセスは、ウェアラブルコンピュータデバイス１００が実際の照明状態が検出されたユーザ活動に適切である、例えば最適であると判定するまで繰り返される。
【００６６】
一実施形態では、ユーザは、警告信号が生成されたことを受けて、実際の照明状態を生成することに関与している１つ以上の光源を見ることにより対応する。ウェアラブルコンピュータデバイス１００は、斯かる光源の識別を、例えば光源により生成された光源の識別子を含む符号化が行われた光信号をプロセッサ１１０を使用して検出及び復号化すること、及び光源の形状を使用すること、又は光源の光学マーカーを識別することによりプロセッサ１１０を使用して光源群中の光源を認識すること等により、光学センサ１１４の視野内で光源を識別することにより行う。多くの他の適当な識別技術が当業者には明らかであろう。ユーザは、識別された光源の設定を調整する命令、例えば口頭による命令、ジェスチャ、頭の動き、及びウェアラブルコンピュータデバイス１００に接触することで与えられる物理的命令等をウェアラブルコンピュータデバイス１００に与え、ウェアラブルコンピュータデバイス１００はこれに応答して、先に説明されたように識別された光源のための制御信号を生成し、この制御信号を識別された光源に送信する。
【００６７】
しかし、代替的な実施形態では、ウェアラブルコンピュータデバイス１００は実際の照明状態の調整を自動的に行うように適合され、その結果、ユーザによる操作が必要なくなる。この代替的な実施形態を実施する方法のフローチャートは図３に示されている。ステップ３０１〜３０５は図２のステップ３０１〜３０５と同一であるため、簡略にするためにこれらのステップの説明は再度行わない。但し、ステップ３０２は、前述の実際の照明状態の決定に加えてさらに、実際の照明状態を作り出すことに関与している１つ以上の光源２０１〜２０６を識別することを含む。
【００６８】
光源２０１〜２０６は任意の適当な手法で識別される。例えば、各光源は符号化光、例えばその特定の光源に特有の、即ち特定の光源を識別する変調を含む光を送る。符号化光は、画像取得センサ、及び光電子センサ等のウェアラブルコンピュータデバイス１００のセンサのうちの１つにより受信され、対応する信号はプロセッサ１１０により復号化され、対応する光源が識別される。代替的には、各光源は固有の可視マーカーを備え、その結果、視野の画像がウェアラブルコンピュータデバイス１００の画像取得センサにより取得されるとき、プロセッサ１１０は固有の可視マーカーを認識し、それに基づいて１つ以上の光源を識別するために取得された画像を処理する。さらに別の実施形態では、ウェアラブルコンピュータデバイス１００は、例えばデータ記憶装置１１２に、光源２０１〜２０６の知られている場所を例えば光源２０１〜２０６が配置されている空間における光源２０１〜２０６の画像の形で記憶し、その結果、光源は画像取得センサを使用して取得された視野の画像をデータ記憶装置１１２に記憶された画像と比較することにより識別される。他の適当な識別技術が当業者には明らかであろう。
【００６９】
ステップ３０５において、ステップ３０２で検出された実際の照明状態がステップ３０３で検出されたユーザ活動に不適切であると判定された場合は、方法は、実際の照明状態の生成に関与する識別された光源２０１〜２０６について、実際の照明状態を適切な照明状態に変換するためにこれらの光源の発光出力を如何に調整すべきかをプロセッサ１１０が計算するステップ４０６に進む。例えばこれは、検出された実際の照明状態を分解し、関与する光源２０１〜２０６の実際の照明状態に対する個々の寄与度を推定することにより、又は例えば照明装置２００の無線ブリッジ２１０を介して関与する光源２０１〜２０６と通信し、関与する光源２０１〜２０６の実際の設定を取得することにより達成される。
【００７０】
それから方法はウェアラブルコンピュータデバイス１００が直接又は無線ブリッジ２１０等の照明装置２００の中央通信デバイスを介して制御信号を関与する光源２０１〜２０６に伝達するステップ４０６に進み、その結果、関与する光源２０１〜２０６は、実際の照明状態を検出されたユーザ活動に適切な照明状態になるように変化させるために、ステップ４０７において受信された命令に従ってステップ４０８において発光出力を調整する。この後方法は前と同様にステップ３０７で終了する。
【００７１】
ここで、図３の方法はステップ３０５と４０６の間に図２のステップ３０６を含むように修正されることに留意されたい。この実施形態では、実際の照明状態の生成に関与している１つ以上の光源２０１〜２０６を制御するための適切な制御信号をプロセッサ１１０に計算させるのではなく、ウェアラブルコンピュータデバイス１００の装着者は、先に説明されたように、例えばジェスチャ、口頭による命令、もしくは接触等の物理的相互作用、又は斯かる命令をウェアラブルコンピュータデバイス１００に伝える任意の他の適当な手法による照明状態調整命令をウェアラブルコンピュータデバイス１００に与え、この場合にはプロセッサ１１０は受信されたユーザ生成の照明状態調整命令に応じて制御命令を生成する。例えばユーザは、スポットサイズに調整が必要であることを示すジェスチャ、例えば所望のスポットサイズを示すジェスチャをする、又は所望の調整、例えば光源２０１を消すこと、光源２０３を点けること、及び光源２０６を暗くすること等を示す口頭による命令を使用する。斯かるユーザ生成の照明状態調整命令の多くの他の例は当業者に明らかであろう。
【００７２】
方法の上記の実施形態では、方法は、実際の照明状態を決定されたユーザ活動に適切な照明状態と比較すること、及び必要な場合、即ち実際の照明状態が決定されたユーザ活動に不適切と考えられる場合にプロセッサ１１０によりアラート又は制御信号が生成されることの後に終了する。これは、決定されたユーザ活動が単一の場所で行われる場合、及び／又はユーザ活動が行われる場所の（周囲の）照明状態が比較的一定である場合に特に適している。
【００７３】
しかし、場所及び（周囲の）照明状態のうちの少なくとも１つが変わることがある状況では、実際の照明状態が決定された実際のユーザ活動に適切であり続けるように実際の照明状態（の変化）を常に又は周期的に監視することが望ましい。このため、方法は図４の限定されない例に示されるように、先に説明されたように制御信号を生成すること、及び生成された制御信号に基づいて光源を制御することの後、又は図２に示されるステップ３０６においてアラート又は警告信号を生成することの後に方法をステップ３０２に強制的に戻すループを含むように修正され、その結果、実際の照明状態が再評価される。斯かるその後の評価では、当然のことながらステップ３０３は、実際の照明状態が既に知られているユーザ活動について再評価されているために省略される。例えばこれは、周囲の照明状態の変化を補償するために、又は特に照明状態がユーザと共に移動する光源、例えばユーザに装着された光源、及び／又はタブレット又は電子書籍リーダーに搭載された読書灯等のユーザ活動に関与するデバイスに装着された光源により作り出される場合に移動中のユーザを追跡できる移動照明状態を作り出すために使用することができる。
【００７４】
ステップ４０９において、ユーザが静止し、暗くなる等、周囲の照明状態が安定する、及び／又はユーザ活動に関与しているデバイスのスイッチをオフにすること、又はさもなければ、活動が終わったことをウェアラブルコンピュータデバイス１００に知らせること、例えばその旨のユーザコマンドをウェアラブルコンピュータデバイス１００に提供することによりユーザが決定されたユーザ活動を終えた等の理由により、実際の照明状態をもはや絶えず又は周期的に監視する必要がないことが決定されると、方法は上で説明されたようにステップ３０７で終了する。
【００７５】
先に述べられたように、ユーザは特定のユーザ活動に適切な照明状態を定義し、ウェアラブルコンピュータデバイス１００、又は通信可能に結合されたもしくはさもなければウェアラブルコンピュータデバイス１００によりアクセス可能なデータ記憶デバイスに記憶する。斯かるユーザ定義の適切な照明状態を作り出す例示的な方法のフローチャートが図５に示される。方法は、ウェアラブルコンピュータデバイス１００及び／又は照明装置２００を起動することによりステップ５０１から始まり、その後方法は、ユーザがステップ３０２について先に説明されたのと同じ手法でウェアラブルコンピュータデバイスにより決定される所望の、即ち適切な照明状態を生成するように照明装置２００の１つ以上の光源２０１〜２０６を設定するステップ５０２に進む。
【００７６】
ステップ５０３では、ウェアラブルコンピュータデバイス１００は、例えばユーザが適切なコマンドを使用してユーザ活動を指定することにより、ステップ３０３に関して先に説明されたように決定された適切な照明状態に関連付けられたユーザ活動を決定する。関連付けられたユーザ活動が決定されると、ウェアラブルコンピュータデバイス１００は、例えばデータ記憶装置１１２に記憶された適切なデータ構造を構築又は修正することにより、ステップ５０４において実際の照明状態を関連付けられたユーザ活動に適切な照明状態として記憶する。このように、ウェアラブルコンピュータデバイス１００は例えば特定のユーザ活動に関連付けられた個人的な照明の好みのデータベースを構築する。
【００７７】
上記の実施形態では、実際の照明状態はユーザ活動のみの関数である。しかし、少なくとも一部の実施形態では、実際の照明状態はユーザ活動とユーザ覚醒度の両方の関数であり、ウェアラブルコンピュータデバイス１００はさらにユーザ覚醒度を監視し、ユーザ覚醒度の減少等のユーザ覚醒度の変化を検出すると、照明レベルを上げる等、実際の照明状態を調整するためのアラート及び／又は制御信号を生成するように適合される。ユーザ覚醒度は、ウェアラブルコンピュータデバイス１００の１つ以上のセンサを使用してユーザの動き及びユーザの反応時間等を監視すること等による任意の適当な手法で検出される。
【００７８】
本発明の態様は、照明装置キット、ウェアラブルコンピュータデバイス、方法又はコンピュータプログラム製品として具現化される。照明キットは典型的には照明装置２００及びウェアラブルコンピュータデバイス１００の実施形態を含み、照明装置２００はウェアラブルコンピュータデバイス１００と通信するように適合され、先に説明されたように光源２０１〜２０６の少なくとも１つを制御するためのウェアラブルコンピュータデバイスにより生成される制御信号に応答する。本発明の態様はコンピュータ読取可能なプログラムコードが具現化された１つ以上のコンピュータ読取可能な媒体に具現化されたコンピュータプログラム製品の形態をとる。
【００７９】
１つ以上のコンピュータ読取可能な媒体の任意の組み合わせが使用される。コンピュータ読取可能な媒体は、コンピュータ読取可能な信号媒体又はコンピュータ読取可能な記憶媒体である。コンピュータ読取可能な記憶媒体は、例えばこれらに限定されるものではないが、電子、磁気、光、電磁、赤外線、又は半導体システム、装置、もしくはデバイス、或いはこれらの任意の適当な組み合わせである。斯かるシステム、装置又はデバイスは、任意の適当なネットワーク接続を介してアクセス可能であり、例えばシステム、装置又はデバイスは、ネットワークを介してコンピュータ読取可能なプログラムコードを取得するためにネットワークを介してアクセス可能である。斯かるネットワークは、例えばインターネット、移動通信ネットワーク等である。コンピュータ読取可能な記憶媒体のより具体的な例（非網羅的なリスト）は以下を含む：１つ以上のワイヤを含む電気的接続、携帯用コンピュータディスケット、ハードディスク、ランダムアクセスメモリ（ＲＡＭ）、リードオンリーメモリ（ＲＯＭ）、消去可能なプログラム可能リードオンリーメモリ（ＥＰＲＯＭ又はフラッシュメモリ）、光ファイバ、携帯用コンパクトディスクリードオンリーメモリ（ＣＤ−ＲＯＭ）、光学記憶デバイス、磁気記憶デバイス、又はこれらの任意の適当な組み合わせ。本出願のコンテキストでは、コンピュータ読取可能な記憶媒体は、命令実行システム、装置、又はデバイスにより又はこれらを組み合わせて使用されるプログラムを含む又は記憶することができる任意の有形的媒体である。
【００８０】
コンピュータ読取可能な信号媒体は、例えばベースバンドにおいて又は搬送波の一部として内部で具現化されたコンピュータ読取可能なプログラムコードを備えた伝搬データ信号を含む。斯かる伝搬信号は、これらに限定されることはないが電磁気、光学的、又はそれらの任意の適当な組み合わせを含む様々な形態のいずれかをとる。コンピュータ読取可能な信号媒体は、コンピュータ読取可能な記憶媒体ではなく、命令実行システム、装置、又はデバイスによって又はそれと関連して使用するためのプログラムを通信、伝搬、又は輸送できる任意のコンピュータ読取可能な媒体である。
【００８１】
コンピュータ読取可能な媒体上に具現化されたプログラムコードは、これらに限定されるものではないが、無線、有線、光ファイバケーブル、ＲＦ等又は上述したものの任意の適当な組み合わせを含む任意の適切な媒体を使用して伝送される。
【００８２】
プロセッサ１１０上で実行される本発明の方法を実行するためのコンピュータプログラムコードは、Ｊａｖａ（登録商標）、Ｓｍａｌｌｔａｌｋ、Ｃ＋＋等のオブジェクト指向プログラミング言語、及び、「Ｃ」プログラミング言語又は同様のプログラミング言語等の従来の手続き型プログラミング言語を含む１つ以上のプログラミング言語の任意の組み合わせで記述される。プログラムコードは、アプリ等のスタンドアロンソフトウェアパッケージとしてプロセッサ１１０上で全体的に実行され、プロセッサ１１０上で部分的に、及びリモートサーバ上で部分的に実行される。後者のシナリオにおいて、リモートサーバは、ローカルエリアネットワーク（ＬＡＮ）又はワイドエリアネットワーク（ＷＡＮ）を含む任意の種類のネットワークを介してウェアラブルコンピュータデバイス１００に接続される、又は、例えば、インターネットサービスプロバイダを使用してインターネットを介して外部コンピュータに対して接続が行われる。
【００８３】
本発明の態様は、本発明の実施形態による方法、装置（システム）及びコンピュータプログラム製品のフローチャート図及び／又はブロック図を参照して上で説明された。フローチャート図及び／又はブロック図の各ブロック、並びにフローチャート図及び／又はブロック図のブロックの組み合わせは、ウェアラブルコンピュータデバイス１００のプロセッサ１１０上で全体的に又は部分的に実行されるコンピュータプログラム命令により実行でき、その結果、命令によってフローチャート及び／又はブロック図の１つ以上のブロックにおいて特定される機能／作用を実装する手段が作り出されることを理解されたい。これらのコンピュータプログラム命令はまた、ウェアラブルコンピュータデバイス１００に特定の手法で機能するように指示できるコンピュータ読取可能な媒体に記憶される。
【００８４】
コンピュータプログラム命令は、一連の動作ステップをプロセッサ１１０上で実行させ、コンピュータにより実施されるプロセスを生成するためにプロセッサ１１０上にロードされ、これにより、プロセッサ１１０上で実行される命令がフローチャート及び／又はブロック図の１つ以上のブロックにおいて特定される機能／作用を実装するプロセスを提供する。
【００８５】
照明装置２００は、方法３００の実施形態を実現するための、アプリ等のコンピュータプログラム製品と共に照明装置キットとして提供される。コンピュータプログラム製品は、ウェアラブルコンピュータデバイス１００にインストールされる等、ウェアラブルコンピュータデバイス１００の一部を構成する。
【００８６】
上述の実施形態が、本発明を限定するのではなく例示すること、及び当業者が、添付の特許請求の範囲から逸脱せずに多くの代替的な実施形態を設計できることが留意されるべきである。特許請求の範囲において、括弧内に配置されたどんな参照符号も、請求項を限定するものとして解釈されないものとする。単語「ｃｏｍｐｒｉｓｉｎｇ（含む、備える）」は、請求項に挙げられたもの以外の要素又はステップの存在を排除しない。要素に先行する単語「ａ」又は「ａｎ」は、複数の斯かる要素の存在を排除しない。本発明は、幾つかの別個の要素を含むハードウェアによって実施され得る。幾つかの手段を列挙するデバイス請求項において、これら手段の幾つかは、全く同一のハードウェアアイテムによって具現化され得る。ある手段が、相互に異なる従属請求項に挙げられているという単なる事実は、これら手段の組み合わせが有利に使用され得ないことを意味しない。
【図１】
0006725897.tif 000002
【図２】
0006725897.tif 000003
【図３】
0006725897.tif 000004
【図４】
0006725897.tif 000005
【図５】
0006725897.tif 000006